【手続補正書】
【提出日】平成16年4月22日(2004.4.22)
【手続補正１】
【補正対象書類名】明細書
【補正対象項目名】特許請求の範囲
【補正方法】変更
【補正の内容】
【特許請求の範囲】
【請求項１】
第１のヨークおよび第１のヨークに装着される第１の巻線より成る第１の固定子構成部材と、第２のヨークより成る第２の固定子構成部材とを所定の距離を隔て相対して配置させ構成される固定子と、所定の極性を有する磁極面を所定の間隙を隔て第１の固定子構成部材に相対させ、他の極性を有する磁極面を所定の間隙を隔て第２の固定子構成部材に相対させ、第１の固定子構成部材および第２の固定子構成部材の、それぞれの相対面が構成する空間内を円滑に移動し得る構造に配置される第１の永久磁石より構成される可動子とにより成る永久磁石可動形リニア直流モータにおいて、
固定子の一方の端部に、第２の永久磁石と第３の永久磁石とを、第２の永久磁石の所定の極性を有する磁極面と第３の永久磁石の他の極性を有する磁極面とを隣接させ、可動子の移動方向に対して直角方向に列設し、それぞれ異なる極性を有する磁極面が隣接して構成する一方の磁極面を第１のヨークの第２のヨークへの相対面に固着させ、それぞれ異なる極性を有する磁極面が隣接して構成する他方の磁極面を第２のヨークの第１のヨークへの相対面に固着させることを特徴とする永久磁石可動形リニア直流モータ。
【請求項２】
固定子の他方の端部に、第４の永久磁石と第５の永久磁石とを、第４の永久磁石の所定の極性を有する磁極面と第５の永久磁石の他の極性を有する磁極面とを隣接させ、可動子の移動方向に対して直角方向に列設し、それぞれ異なる極性を有する磁極面が隣接して構成する一方の磁極面を第１のヨークの第２のヨークへの相対面に固着させ、それぞれ異なる極性を有する磁極面が隣接して構成する他方の磁極面を第２のヨークの第１のヨークへの相対面に固着させることを特徴とする請求項１の永久磁石可動形リニア直流モータ。
【請求項３】
第２の固定子構成部材を、第２のヨークおよび第２のヨークに装着される第２の巻線により構成することを特徴とする請求項１あるいは請求項２の永久磁石可動形リニア直流モータ。
【手続補正２】
【補正対象書類名】明細書
【補正対象項目名】０００６
【補正方法】変更
【補正の内容】
【０００６】
可動子１０は、平板状をなす第１の永久磁石１１を主に構成される。第１の永久磁石１１は、Ｎ極の極性を有する磁極面が第１の固定子構成部材２に所定の間隙を隔て相対し、Ｓ極の極性を有する磁極面が第２の固定子構成部材５に所定の距離を隔て相対するように、第１の固定子構成部材２および第２の固定子構成部材５の、それぞれの相対面が構成する空間２１内に配置される。


【手続補正３】
【補正対象書類名】明細書
【補正対象項目名】０００７
【補正方法】変更
【補正の内容】
【０００７】
可動子１０は、第１の巻線４および第２の巻線７に図示の方向に所定の電流を流すことにより、所定の推力をもって矢印Ｂ方向に移動し、第１の巻線４および第２の巻線７に図示と異なる方向に所定の電流を流すことにより、所定の推力をもって矢印Ａ方向に移動する。


【手続補正４】
【補正対象書類名】明細書
【補正対象項目名】００２５
【補正方法】変更
【補正の内容】
【００２５】
可動子１０は、第１の巻線４に図示の方向に所定の電流を流すことにより、所定の推力をもって矢印Ｂ方向に移動し、第１の巻線４に図示と異なる方向に所定の電流を流すことにより、所定の推力をもって矢印Ａ方向に移動する。


【手続補正５】
【補正対象書類名】明細書
【補正対象項目名】００３１
【補正方法】変更
【補正の内容】
【００３１】
可動子１０は、第１の巻線４および第２の巻線７に図示の方向に所定の電流を流すことにより、所定の推力をもって矢印Ｂ方向に移動し、第１の巻線４および第２の巻線７に図示と異なる方向に所定の電流を流すことにより、所定の推力をもって矢印Ａ方向に移動する。


【手続補正６】
【補正対象書類名】明細書
【補正対象項目名】００３９
【補正方法】変更
【補正の内容】
【００３９】
可動子１０は、第１の巻線４に図示の方向に所定の電流を流すことにより、所定の推力をもって矢印Ｂ方向に移動し、第１の巻線４に図示と異なる方向に所定の電流を流すことにより、所定の推力をもって矢印Ａ方向に移動する。


【手続補正７】
【補正対象書類名】明細書
【補正対象項目名】００４３
【補正方法】変更
【補正の内容】
【００４３】
第２の永久磁石１２ａと第３の永久磁石１３ａとは、第２の永久磁石１２ａの所定の極性を有する磁極面と第３の永久磁石１３ａの他の極性を有する磁極面とを隣接させ、可動子１０の移動方向に対して直角方向（以後、図４、図５、図９および図１０に示す本発明の実施例において、固定子１の円周方向と記す。）に列設される。第２の永久磁石１２ａのＳ極の極性を有する磁極面と第３の永久磁石１３ａのＮ極の極性を有する磁極面とが隣接して構成する磁極面は、第１のヨーク３の外側円筒面に固着され、第２の永久磁石１２ａのＮ極の極性を有する磁極面と第３の永久磁石１３ａのＳ極の極性を有する磁極面とが隣接して構成する磁極面は、第２のヨーク６の内側円筒面に固着される。


【手続補正８】
【補正対象書類名】明細書
【補正対象項目名】００４７
【補正方法】変更
【補正の内容】
【００４７】
可動子１０は、第１の巻線４に図示の方向に所定の電流を流すことにより、所定の推力をもって矢印Ｂ方向に移動し、第１の巻線４に図示と異なる方向に所定の電流を流すことにより、所定の推力をもって矢印Ａ方向に移動する。


【手続補正９】
【補正対象書類名】明細書
【補正対象項目名】００５３
【補正方法】変更
【補正の内容】
【００５３】
可動子１０は、第２の巻線７に図示の方向に所定の電流を流すことにより、所定の推力をもって矢印Ｂ方向に移動し、第２の巻線７に図示と異なる方向に所定の電流を流すことにより、所定の推力をもって矢印Ａ方向に移動する。


【手続補正１０】
【補正対象書類名】明細書
【補正対象項目名】００６０
【補正方法】変更
【補正の内容】
【００６０】
可動子１０は、第１の巻線４に図示の方向に所定の電流を流すことにより、所定の推力をもって矢印Ｂ方向に移動し、第１の巻線４に図示と異なる方向に所定の電流を流すことにより、所定の推力をもって矢印Ａ方向に移動する。


【手続補正１１】
【補正対象書類名】明細書
【補正対象項目名】００６７
【補正方法】変更
【補正の内容】
【００６７】
可動子１０は、第１の巻線４および第２の巻線７に図示の方向に所定の電流を流すことにより、所定の推力をもって矢印Ｂ方向に移動し、第１の巻線４および第２の巻線７に図示と異なる方向に所定の電流を流すことにより、所定の推力をもって矢印Ａ方向に移動する。


【手続補正１２】
【補正対象書類名】明細書
【補正対象項目名】００７７
【補正方法】変更
【補正の内容】
【００７７】
可動子１０は、第１の巻線４に図示の方向に所定の電流を流すことにより、所定の推力をもって矢印Ｂ方向に移動し、第１の巻線４に図示と異なる方向に所定の電流を流すことにより、所定の推力をもって矢印Ａ方向に移動する。


【手続補正１３】
【補正対象書類名】明細書
【補正対象項目名】００８４
【補正方法】変更
【補正の内容】
【００８４】
可動子１０は、第１の巻線４に図示の方向に所定の電流を流すことにより、所定の推力をもって矢印Ｂ方向に移動し、第１の巻線４に図示と異なる方向に所定の電流を流すことにより、所定の推力をもって矢印Ａ方向に移動する。


【手続補正１４】
【補正対象書類名】明細書
【補正対象項目名】００９２
【補正方法】変更
【補正の内容】
【００９２】
可動子１０は、第２の巻線７に図示の方向に所定の電流を流すことにより、所定の推力をもって矢印Ｂ方向に移動し、第２の巻線７に図示と異なる方向に所定の電流を流すことにより、所定の推力をもって矢印Ａ方向に移動する。


【手続補正１５】
【補正対象書類名】図面
【補正対象項目名】図１
【補正方法】変更
【補正の内容】
【図１】
1998309070.tif 000001
【手続補正１６】
【補正対象書類名】図面
【補正対象項目名】図２
【補正方法】変更
【補正の内容】
【図２】
1998309070.tif 000002